(57)【要約】【課題】容易に開閉できて点検口の利便性を損なうことなく、発光部ユニットを容易に交換できる照明器具を提供する。【解決手段】天井１１に設けられた取付用開口部１２に嵌め込まれた器具本体２０に、光源３１および点灯装置３２および反射板３３を備えた発光部ユニット３０が開閉可能且つ取り外し可能に取り付けられており、点灯装置３２と商用電源を接続する点灯用ケーブル３５の先端に、コネクタ３５１を設けたので、発光部ユニット３０を開閉したり着脱する際に、点灯用ケーブル３５を容易に接続および取り外しできる。また、点灯用ケーブル３５の長さを、商用電源から発光部ユニット３０までの長さよりも長くしたので、発光部ユニット３０を開けた際に点灯用ケーブル３５が突っ張らない。また、点灯用ケーブル３５の途中を、ケーブル押さえ２４により発光部ユニット３０に固定するので、作業性が改善される。【選択図】図１
2011258449.tif 000002
【特許請求の範囲】
【請求項１】
天井に設けられた取付用開口部に嵌め込まれる器具本体と、
前記器具本体に開閉可能且つ取り外し可能に取り付けられ、光源および点灯装置および反射板を備えた発光部ユニットと、
前記点灯装置と商用電源とを電気的に接続する点灯用ケーブルと、を有し、
前記点灯用ケーブルの先端に、前記商用電源と着脱可能に接続するコネクタを設けるとともに、
前記点灯用ケーブルの長さを前記商用電源から前記発光部ユニットまでの長さよりも長くし、
前記点灯用ケーブルの途中を前記発光部ユニットに固定するケーブル押さえを設けた照明器具。
【請求項２】
請求項１に記載の照明器具において、
前記点灯用ケーブルの長さを、前記発光部ユニットを開いたときに前記点灯用ケーブルに張力が作用しない長さとした照明器具。
【発明の詳細な説明】
【技術分野】
【０００１】
本発明は、天井に設けられた取付用開口部に嵌め込んで使用する照明器具に関するものである。
【背景技術】
【０００２】
従来の照明器具には、天井に設けられた取付用開口部に嵌め込んで使用するものが知られている（例えば、特許文献１参照）。
図３に示すように、特許文献１に記載の照明器具１００は、天井１０１に設けられた開口部１０２に取り付けて使用される埋め込み式の照明器具であり、照明ケース１０３の内部に蛍光灯１０４が装着されている。また、照明ケース１０３の上面には安定器１０７が取り付けられており、電源コード１０８により商用電源に接続される。
照明ケース１０３の一端は、開口部１０２の周縁部に取り付けられたフレーム１０６に、蝶番１０５により開閉可能に取り付けられており、他端にはフレーム１０６に固定するための固着具１０９が設けられている。
従って、照明ケース１０３を矢印Ａ方向へ開けることにより、開口部１０２が天井内の設備機器のメンテナンス用点検口として利用できるようになっている。
【先行技術文献】
【特許文献】
【０００３】
【特許文献１】実開平６−３６１２２号公報（第４図）
【発明の概要】
【発明が解決しようとする課題】
【０００４】
しかしながら、前述したような照明器具１００においては、リニューアルした場合や、光源を変える等性能を向上させた場合に、点検口としての利便性を損なう虞がある。
また、図４に示すような点検口兼用型の照明器具１１０の場合、天井１０１の開口部１０２に取り付けられている器具本体１１１に、蛍光灯１１２および反射板１１３および点灯装置１１７を備えた発光部ユニット１１４が取り外し可能に取り付けられている。このような照明器具１１０においては、電気部品等が寿命を迎えて、器具を取り替える必要がある場合に、発光部ユニット１１４をリニューアルすることができる。
しかしながら、この際には、既設の器具本体１１１に設けられている電源穴１１５から電源線１１６を引き込むことができないため、電源線１１６を切断して、新たな電源線を配線するとともに、接続し直す必要があり、面倒である。
【０００５】
本発明は、従来の問題を解決するためになされたもので、容易に開閉できて点検口の利便性を損なうことなく、発光部ユニットを容易に交換できる照明器具を提供することを目的とする。
【課題を解決するための手段】
【０００６】
本発明の照明器具は、天井に設けられた取付用開口部に嵌め込まれる器具本体と、器具本体に開閉可能且つ取り外し可能に取り付けられ、光源および点灯装置および反射板を備えた発光部ユニットと、点灯装置と商用電源とを電気的に接続する点灯用ケーブルと、を有し、点灯用ケーブルの先端に、商用電源と着脱可能に接続するコネクタを設けるとともに、点灯用ケーブルの長さを商用電源から発光部ユニットまでの長さよりも長くし、点灯用ケーブルの途中を発光部ユニットに固定するケーブル押さえを設けたものである。
【０００７】
また、本発明の照明器具は、点灯用ケーブルの長さを、発光部ユニットを開いたときに点灯用ケーブルに張力が作用しない長さとしたものである。
【発明の効果】
【０００８】
本発明は、点灯装置と商用電源を接続する点灯用ケーブルの先端に、コネクタを設けたので、発光部ユニットを開閉したり着脱する際に、点灯用ケーブルを容易に接続および取り外しでき、発光部ユニットを容易に交換できるとともに、取付用開口部の点検口としての利便性を確保できるという効果を有する照明器具を提供できる。
【図面の簡単な説明】
【０００９】
【図１】（Ａ）は本発明に係る実施形態の照明器具の断面図であり、（Ｂ）は実施形態の照明器具を下方から見た正面図であり、（Ｃ）は実施形態の照明器具の背面図
【図２】（Ａ）ないし（Ｅ）は天井裏点検時および発光部ユニット交換時の動作を示す工程図
【図３】従来の照明器具の断面図
【図４】（Ａ）は従来の点検口兼用型の照明器具の一例を示す断面図であり、（Ｂ）は照明器具を下方から見た正面図であり、（Ｃ）は照明器具を後方から見た背面図
【発明を実施するための形態】
【００１０】
以下、本発明に係る実施形態の照明器具について、図面を用いて説明する。
図１に示すように、本発明に係る実施形態の照明器具１０は、天井１１に設けられた取付用開口部１２に嵌め込まれて埋め込み式で使用される。この照明器具１０は、取付用開口部１２に取り付けられる器具本体２０と、器具本体２０に開閉可能且つ取り外し可能に取り付けられる発光部ユニット３０を有する。
【００１１】
器具本体２０は、取付用開口部１２の周縁部に沿った矩形額縁状の金属製の外枠２１と、外枠２１の上部内側に取り付けられる内枠２２を有し、内枠２２の内側に開口部２２１を有する。外枠２１の対向する一組の内壁２１１，２１１には、内枠２２の下側に発光部ユニット３０を着脱可能且つ開閉可能に取り付けるためのバネ受け２３をそれぞれ一対有する。
【００１２】
発光部ユニット３０は、光源である複数本の蛍光灯３１および蛍光灯３１を点灯させるための点灯装置３２および蛍光灯３１の光を下方へ反射する反射板３３を有する。各蛍光灯３１は、反射板３３の下面に取り付けられた一対のランプソケット３４，３４に保持され、点灯装置３２から給電されて点灯する。
【００１３】
反射板３３は、器具本体２０の内側に取り付けられる全体矩形状の部材であり、蛍光灯３１の配置に合わせて、山部および谷部を有し、蛍光灯３１は山部の下方（表面側）に配置される。谷部の上方（裏面側）には、器具本体２０の点灯装置３２等が収容される。反射板３３の上側には、平板状の天板３３３が取り付けられている。また、反射板３３の前面には、蛍光灯３１の長手方向に直交するルーバー３９が所定間隔で設けられ、下方に露出する。
【００１４】
反射板３３の対向する少なくとも一対の縁端部３３１，３３１には、反射板３３を器具本体２０のバネ受け２３に係止するための取付バネ３３２が各々一対（全体で少なくとも４個）設けられている。取付バネ３３２は、例えば全体八の字形状をして先端に係止部を有しており、器具本体２０のバネ受け２３に設けられている係止溝（図示省略）に沿って移動可能となっている。
従って、器具本体２０に取り付けられている発光部ユニット３０を引き下げることにより、取付バネ３３２がバネ受け２３の係止溝に沿って移動し、一定距離下降すると係止部が係止されるので、その状態で保持される。
【００１５】
点灯装置３２は反射板３３と天板３３３との間に取り付けられており、点灯用ケーブルを構成する電源ケーブル３５の一端が、天板３３３に設けられた電源穴３３４を貫通して配線され点灯装置３２に接続されている。電源ケーブル３５は、器具本体２０の開口部２２１を通って器具本体２０の上側に配線されており、電源ケーブル３５の他端にはコネクタとしての電源用コネクタ３５１が取り付けられている。電源用コネクタ３５１は、天井１１の背部に配線され商用電源（図示省略）に接続される入力用電源線３７のコネクタ３７１に着脱可能に接続される。
なお、電源ケーブル３５は、電線押さえ２４によって反射板３３の天板３３３の上面に固定される。また、入力用電源線３７には、送り用電源線３７２が接続されており、複数の照明器具１０が並設されている場合に、次の照明器具１０に電力を供給する。
【００１６】
また、点灯用ケーブルとして、電源ケーブル３５の他に一対の調光用ケーブル３６,３６を有しており、調光用ケーブル３６の一端が反射板３３の天板３３３に設けられている信号線用穴３３５を貫通して点灯装置３２に接続される。調光用ケーブル３６は、器具本体２０の開口部２２１を通って器具本体２０の上側に配線されており、調光用ケーブル３６の他端には調光用コネクタ３６１が取り付けられている。調光用コネクタ３６１は、天井１１の背部に配線された一対の調光用信号線３８，３８の一端に取り付けられているコネクタ３８１に着脱可能に接続される。これにより、複数の照明器具１０を一括して調光することができる。
なお、調光用信号線３８は、信号線押さえ２５によって反射板３３の天板３３３の上面に固定される。
【００１７】
電源ケーブル３５の長さは、商用電源から発光部ユニット３０までの長さ、すなわち、入力用電源線３７のコネクタ３７１から電線押さえ２４までの長さよりも長くし、発光部ユニット３０を、その一端をヒンジとして開いたときに電源ケーブル３５に張力が作用しない長さとするのが望ましい。また、同様に、調光用ケーブル３６の長さを、調光用信号線３８のコネクタ３８１から信号線押さえ２５までの長さよりも長くして、張力が作用しないようにするのが望ましい。
【００１８】
次に、図２に基づいて、天井裏点検時あるいは発光部ユニット３０交換時における動作について説明する。
図２（Ａ）に示すように、反射板３３の前面に取り付けられているルーバー３９を取り外す。次いで、図２（Ｂ）に示すように、発光部ユニット３０を器具本体２０から引き下げる。このとき、発光部ユニット３０における反射板３３の取付バネ３３２の係止部が、器具本体２０のバネ受け２３によって係止されるので、発光部ユニット３０は一定距離だけ引き下げ可能であり、この状態で保持される。
【００１９】
次いで、図２（Ｃ）に示すように、器具本体２０と反射板３３との間のわずかな隙間から指を入れ、反射板３３の一方の縁端部３３１に設けられている一対の取付バネ３３２を、器具本体２０のバネ受け２３から取り外す。これにより、対向する側の縁端部３３１に取り付けられている取付バネ３３２をヒンジ代わりにして、下方へ回動して開く。
【００２０】
次いで、図２（Ｄ）に示すように、電源ケーブル３５の電源用コネクタ３５１を、入力用電源線３７のコネクタ３７１から切り離して解除する。このとき、図示はしないが、同様に、調光用ケーブル３６の調光用コネクタ３６１を、調光用信号線３８のコネクタ３８１から切り離して解除する。
さらに、図２（Ｅ）に示すように、器具本体２０に係止されている取付バネ３３２を取り外して、発光部ユニット３０を外す。これにより、器具本体２０の内枠２２の開口部２２１が開口するので、点検用に用いることができる。
【００２１】
なお、発光部ユニット３０を器具本体２０に取り付ける際には、前述した取り外しの工程を逆に行う。このとき、新しい発光部ユニット３０を取り付けることにより、照明器具１０のリニューアルを行うことができる。
【００２２】
以上、説明した本発明にかかる実施形態の照明器具１０によれば、天井１１に設けられた取付用開口部１２に嵌め込まれた器具本体２０に、蛍光灯３１および点灯装置３２および反射板３３を備えた発光部ユニット３０が開閉可能且つ取り外し可能に取り付けられている。
そして、点灯装置３２と商用電源を接続する電源ケーブル３５の先端に電源用コネクタ３５１を設けたので、発光部ユニット３０を開閉したり着脱する際に、電源ケーブル３５を容易に接続または取り外しでき、発光部ユニット３０を容易に交換できるとともに、取付用開口部１２の点検口としての利便性を確保できる。
また、電源ケーブル３５の長さを、商用電源から発光部ユニット３９までの長さよりも長くしたので、発光部ユニット３０を開けた際に電源ケーブル３５が突っ張らない。
また、電源ケーブル３５の途中を、電線押さえ２４により発光部ユニット３０に固定するので、点灯装置３２に過大な力が作用するのを防止できるとともに、作業性が改善される。
【００２３】
また、電源ケーブル３５の長さを、発光部ユニット３０を開いたときに電源ケーブル３５に張力が作用しない長さとしたので、点検作業時や交換時に発光部ユニット３０を開いても、無理な力が作用しない。
【００２４】
なお、本発明の照明器具は、前述した実施形態に限定されるものでなく、適宜な変形，改良等が可能である。
【符号の説明】
【００２５】
１０  照明器具
１１  天井
１２  取付用開口部
２０  器具本体
２４  電線押さえ（ケーブル押さえ）
３０  発光部ユニット
３１  蛍光灯（光源）
３２  点灯装置
３３  反射板
３５  電源ケーブル（点灯用ケーブル）
３５１  電源用コネクタ（コネクタ）
【図１】
2011258449.tif 000003
【図２】
2011258449.tif 000004
【図３】
2011258449.tif 000005
【図４】
2011258449.tif 000006